(57)【要約】【課題】ケーブルが移動用の車輪と絡まってしまう事態を防止することができ、移動の際に取り外しの必要がないケーブルカバーおよびケーブルカバーを有する医療機器を提供する。【解決手段】本実施の形態のケーブルカバー２００は、柔軟性を有する管状のカバー部材であって、管の内部にケーブルが通されたときに、カバー部材の一端部２３０にケーブルに固定するための構造を有するカバー部材２１０と、カバー部材２１０の外周面に設けられ、カバー部材２１０と比較して硬い素材で形成されたらせん状あるいはリング状の突起部２２０と、を有する。【選択図】図２
2017225685.tif 000002
【特許請求の範囲】
【請求項１】
柔軟性を有する管状のカバー部材であって、前記管の内部にケーブルが通されたときに、前記カバー部材の少なくとも一端部に前記ケーブルに固定するための構造を有するカバー部材と、
前記カバー部材の外周面に設けられ、前記カバー部材と比較して硬い素材で形成されたらせん状あるいはリング状の突起部と、
を有するケーブルカバー。
【請求項２】
前記カバー部材を前記ケーブルに固定するための構造は、熱収縮性材料からなる、
請求項１に記載のケーブルカバー。
【請求項３】
前記カバー部材を前記ケーブルに固定するための構造は、前記一端部に設けられた少なくとも１つの穴部と、前記穴部に通された紐状部材と、により構成され、
前記管の内部にケーブルが通されたときに、前記紐状部材が前記ケーブルに巻き付くことにより前記カバー部材が前記ケーブルに固定される、
請求項１に記載のケーブルカバー。
【請求項４】
前記ケーブルカバーの直径は、前記ケーブルの設置箇所の周囲に存在する移動用の車輪を有する機器の前記車輪の直径の所定割合以上である、
請求項１から３のいずれか一項に記載のケーブルカバー。
【請求項５】
前記ケーブルカバーの直径は、前記車輪の直径の２０％以上である、
請求項４に記載のケーブルカバー。
【請求項６】
移動用の車輪と、ケーブルと、ケーブルカバーとを有する医療機器であって、
前記ケーブルカバーは、
柔軟性を有する管状のカバー部材であって、前記管の内部にケーブルが通されたときに、前記カバー部材の少なくとも一端部に前記ケーブルに固定するための構造を有するカバー部材と、
前記カバー部材の外周面に設けられ、前記カバー部材と比較して硬い素材で形成されたらせん状あるいはリング状の突起部と、
を有する、医療機器。
【請求項７】
前記カバー部材を前記ケーブルに固定するための構造は、熱収縮性材料からなる、
請求項６に記載の医療機器。
【請求項８】
前記カバー部材を前記ケーブルに固定するための構造は、前記一端部に設けられた少なくとも１つの穴部と、前記穴部に通された紐状部材と、により構成され、
前記管の内部にケーブルが通されたときに、前記紐状部材が前記ケーブルに巻き付くことにより前記カバー部材が前記ケーブルに固定される、
請求項６に記載の医療機器。
【請求項９】
前記ケーブルカバーの直径は、前記車輪の直径の所定割合よりも大きい、
請求項６から８のいずれか一項に記載の医療機器。
【請求項１０】
前記ケーブルカバーの直径は、前記車輪の直径の２０％以上である、
請求項９に記載の医療機器。
【請求項１１】
前記ケーブルカバーは、前記ケーブルが前記医療機器に接続された箇所から所定の長さに亘って前記ケーブルを覆う、
請求項６から１０のいずれか一項に記載の医療機器。
【発明の詳細な説明】
【技術分野】
【０００１】
本開示は、電源ケーブル等のケーブルに装着させるケーブルカバーおよびケーブルカバーを有する医療機器に関する。
【背景技術】
【０００２】
病院等の医療現場において、種々の医療機器が使用されている。医療機器には、診断の都合等に応じて移動できるように、移動用の器具としてキャスター（車輪）を有するものがある。
【０００３】
しかしながら、キャスターを有する医療機器を移動させる際に、医療機器の電源ケーブルや他の機器との接続ケーブル等の各種ケーブルがキャスターの車輪と干渉し、移動の妨げとなる場合がある。このような事態を回避するものとして、例えば特許文献１に開示された技術がある。
【０００４】
特許文献１には、床に沿うキャスタホイールの回転路から障害物を排除するために、キャスタホイールに使用されるロールガード装置が開示されている。
【先行技術文献】
【特許文献】
【０００５】
【特許文献１】特許第４１０５２３９号公報
【発明の概要】
【発明が解決しようとする課題】
【０００６】
特許文献１に開示されたロールガード装置は、キャスターの周囲の床上に配置されるものであり、医療機器が移動される際には、キャスターに押されて同時に移動する。従って、例えば段差や凹凸がある場所を移動する場合等、キャスターが床から離れる際には、特許文献１に開示されたロールガード装置はキャスターと一体となって移動することはできない。このような場合、ロールガード装置を一度キャスターから取り外し、医療機器を移動させた後に再度取り付けを行う必要があり、手間がかかる。
【０００７】
このような事情から、医療機器の移動の際にも取り外しの必要がなく、ケーブルとキャスターとの干渉を防止する仕組みが要望されている。
【０００８】
本開示の目的は、ケーブルが移動用の車輪と絡まってしまう事態を防止することができ、移動の際に取り外しの必要がないケーブルカバーおよびケーブルカバーを有する医療機器を提供することである。
【課題を解決するための手段】
【０００９】
本開示に係るケーブルカバーは、柔軟性を有する管状のカバー部材であって、前記管の内部にケーブルが通されたときに、前記カバー部材の少なくとも一端部に前記ケーブルに固定するための構造を有するカバー部材と、前記カバー部材の外周面に設けられ、前記カバー部材と比較して硬い素材で形成されたらせん状あるいはリング状の突起部と、を有する。
【００１０】
本開示に係る医療機器は、移動用の車輪と、ケーブルと、ケーブルカバーとを有する医療機器であって、前記ケーブルカバーは、柔軟性を有する管状のカバー部材であって、前記管の内部にケーブルが通されたときに、前記カバー部材の少なくとも一端部に前記ケーブルに固定するための構造を有するカバー部材と、前記カバー部材の外周面に設けられ、前記カバー部材と比較して硬い素材で形成されたらせん状あるいはリング状の突起部と、を有する。
【発明の効果】
【００１１】
本開示によれば、ケーブルが移動用の車輪と絡まってしまう事態を防止することができ、移動の際に取り外しの必要がない。
【図面の簡単な説明】
【００１２】
【図１】医療機器の一例としての超音波診断装置を例示した図
【図２】本開示の実施の形態に係るケーブルカバーを例示した斜視図
【図３】図２のＡ−Ａ’線におけるケーブルカバーの断面図
【図４】電源ケーブルにケーブルカバーが装着された状態を例示した図
【図５】ケーブルカバーが装着された電源ケーブルが超音波診断装置の電源部に接続された状態を例示した図
【図６】図５を上側から見た図
【図７】図５のＢ−Ｂ’線における電源ケーブルとケーブルカバーの断面図
【図８】ケーブルカバーの装着された電源ケーブルがキャスターに絡まないことを説明するための図
【発明を実施するための形態】
【００１３】
以下、本開示の各実施の形態について図面を参照して詳細に説明する。ただし、必要以上に詳細な説明、例えば、既によく知られた事項の詳細説明や実質的に同一の構成に対する重複説明等は省略する場合がある。
【００１４】
なお、以下の説明および参照される図面は、当業者が本開示を理解するために提供されるものであって、本開示の請求の範囲を限定するためのものではない。
【００１５】
図１は、医療機器の一例としての超音波診断装置１００を例示した図である。図１に示すように、超音波診断装置１００は、超音波診断装置本体１１０と、超音波診断装置本体１１０を載置するカート１２０と、超音波診断装置本体１１０に電源を供給する電源ケーブル１３０と、を有する。
【００１６】
カート１２０は、複数のキャスター１２１を有し、超音波診断装置本体１１０を移動させることができる。電源ケーブル１３０と複数のキャスター１２１とは、同一の床面上に存在するため、超音波診断装置１００の移動時にキャスター１２１に電源ケーブル１３０が絡まって移動の妨げとなったり、電源ケーブル１３０が破損してしまう場合がある。
【００１７】
図２は、本開示の実施の形態に係るケーブルカバー２００を例示した斜視図である。また、図３は、図２のＡ−Ａ’線におけるケーブルカバー２００の断面図である。ケーブルカバー２００は、図２および図３に示すように、管状のカバー部材２１０と、突起部２２０と、を有する。
【００１８】
カバー部材２１０は、電源ケーブル１３０を保護するためのカバーであり、柔軟性を有する素材（ゴムや樹脂等）で形成される管（チューブ）状の部材である。カバー部材２１０は、その内部に電源ケーブル１３０を通すことができるように、電源ケーブル１３０の太さより内径が大きくなるように形成される。また、カバー部材２１０は、電源ケーブル１３０に容易に取付が可能であるように、以下のように形成されることが望ましい。すなわち、カバー部材２１０の内径は、電源ケーブル１３０が有する、ケーブル部分より径が大きい部位の直径よりも大きくなるように形成される。電源ケーブル１３０が有する、ケーブル部分より径が大きい部位とは、例えば電源ケーブル１３０の両端部に設けられた、配線用差込接続器（いわゆるコンセント）や超音波診断装置１００への差し込みプラグ等を意味する。
【００１９】
あるいは、カバー部材２１０が伸縮性のある素材で形成されていてもよい。このような場合、ケーブル部分より径が大きい電源ケーブル１３０の部位よりもケーブルカバー２００の内径が小さい場合でも、カバー部材２１０が変形してこれらの部位を通すことができる。
【００２０】
図２および図３に示すように、ケーブルカバー２００は突起部２２０を有する。突起部２２０は、ケーブルカバー２００の外周面に設けられた、らせん状あるいはリング状の突起である。突起部２２０は、ケーブルカバー２００が置かれる床等に対して摩擦を低減する目的で設けられる。突起部２２０は、例えばらせん状あるいはリング状の構造物をカバー部材２１０の外周面に接着あるいは溶着して設けられる。
【００２１】
図４は、電源ケーブル１３０にケーブルカバー２００が装着された状態を例示した図である。図４では、電源ケーブル１３０の差し込みプラグ１３１近傍におけるケーブルカバー２００の装着された様子を示している。図４に示すように、カバー部材２１０の一端部２３０は、例えば熱収縮チューブのように熱を加えることにより収縮する素材（熱可塑性エラストマー等の熱収縮性材料）で形成されている。すなわち、カバー部材２１０内に電源ケーブル１３０が通された後、一端部２３０に熱が加えられることで、一端部２３０が収縮してその内径が電源ケーブル１３０のケーブル部分の外周と同様となる。これにより、一端部２３０の内側と電源ケーブル１３０のケーブル部分とに摩擦が生じ、この摩擦によってケーブルカバー２００は電源ケーブル１３０に固定される。このように熱により収縮する部材を利用することで、ケーブルカバー２００は電源ケーブルに容易に装着される。
【００２２】
図５は、ケーブルカバー２００が装着された電源ケーブル１３０が超音波診断装置１００の電源部１４０に接続された状態を例示した図である。電源部１４０はカート１２０に載置され、超音波診断装置本体１１０に電源を供給する部位である。なお、図５において、電源部１４０より上側に存在する超音波診断装置本体１１０は図示が省略されている。
【００２３】
図５に示すように、ケーブルカバー２００は柔軟性を有する素材で形成され、電源ケーブル１３０のコネクタ部分から垂れ下がった箇所と床に接している箇所とで折れ曲がることができる。これにより、電源ケーブル１３０の動きはケーブルカバー２００によって阻害されないので、例えば超音波診断装置１００が移動される際等に、ケーブルカバー２００を装着した電源ケーブル１３０が使用者の意図しない動きをして移動の妨げとなる事態を防止することができる。
【００２４】
図６は、図５を上側から見た図である。図６においても、図５と同様に、電源部１４０より上側に存在する超音波診断装置本体１１０は図示が省略されている。図６に示すように、ケーブルカバー２００は、電源ケーブル１３０に合わせて自由に折れ曲がることができる。このように、ケーブルカバー２００は柔軟性を有するので、例えば超音波診断装置１００を段差や凹凸がある場所を移動する場合には、例えばケーブルカバー２００が装着された電源ケーブル１３０を床面から持ち上げてカート１２０に巻き付けたり、カート１２０が有する所定のフック（図示は省略）に掛けたり等することで、ケーブルカバー２００を電源ケーブル１３０から取り外したり、電源ケーブル１３０を超音波診断装置１００から取り外したりすることなく、超音波診断装置１００を移動させることができる。
【００２５】
図５および図６に示すように電源ケーブル１３０にケーブルカバー２００が装着されることにより、超音波診断装置１００が移動する際に、電源ケーブル１３０がキャスター１２１に絡まってしまう事態を防止することができる。
【００２６】
なお、図５および図６においては、電源ケーブル１３０のケーブル部分（すなわち電源ケーブル１３０の差し込みプラグ１３１近傍を除いた部位）にはケーブルカバー２００が装着されている。しかしながら、ケーブルカバー２００の長さは電源ケーブル１３０のケーブル部分全てをカバーする長さである必要はない。ケーブルカバー２００は、その長さが例えば図６に示すように超音波診断装置１００のカート１２０の外周のうちの半周程度の長さであれば、上記したように、電源ケーブル１３０がキャスター１２１に絡まるのを防止する効果を奏することができる。従って、ケーブルカバー２００の長さは、使用する超音波診断装置１００の大きさによって決定されればよい。
【００２７】
図７は、図５のＢ−Ｂ’線における電源ケーブル１３０とケーブルカバー２００の断面図である。図７は、電源ケーブル１３０およびケーブルカバー２００が床面上に配されている場合を想定した図であり、ケーブルカバー２００の突起部２２０が床面３００に接している。図７に示すように、ケーブルカバー２００は、床面上に配されたとき、突起部２２０によって床面３００と接するので、突起部２２０がない場合と比較して、床面３００との接触面積が小さくなっている。これにより、ケーブルカバー２００は、床面３００との摩擦を小さく抑えることができるので、床面３００上を容易に移動することができる。
【００２８】
なお、突起部２２０は、床面３００との摩擦を小さく抑えるという観点から、カバー部材２１０と同様の柔軟性のある素材ではなく、カバー部材２１０と比較して硬い素材で形成される。具体的には、突起部２２０は、例えば紫外線硬化樹脂等により形成されればよい。あるいは、突起部２２０は、比較的硬い材料で形成された樹脂スプリングを、カバー部材２１０に接着あるいは溶着することで形成してもよい。
【００２９】
また、上述したようにカバー部材２１０は柔軟性のある素材で形成されるが、図７に示すカバー部材２１０の内壁面２４０は、カバー部材２１０の内部に通される電源ケーブル１３０の滑りをよくするために、凹凸が少なくなるように形成されることが望ましい。また、同様の理由で、内壁面２４０は例えばフッ素樹脂等でコーティングされていてもよい。
【００３０】
ケーブルカバー２００が装着された電源ケーブル１３０がキャスターに絡まないように、ケーブルカバー２００および突起部２２０の外周の直径は、例えばキャスターの車輪の直径の２０％以上である。なお、２０％という値は、経験的に導出された値である。すなわち、キャスターの車輪は、対象物の摩擦係数にもよるが、車輪の２０％の直径を有するチューブ状の物体がその進路上にあったとしても、対象物を踏み付けずに対象物を押しのけることが経験的に確認されている。
【００３１】
図８は、ケーブルカバー２００の装着された電源ケーブル１３０がキャスター１２１に絡まないことを説明するための図である。図８において、ケーブルカバー２００の直径は、キャスター１２１の車輪の直径の２０％である。このような場合、キャスター１２１が矢印Ａの方向に移動しても、ケーブルカバー２００が装着された電源ケーブル１３０はキャスター１２１に踏み付けられることなく、またキャスター１２１がケーブルカバー２００を乗り越えてしまうこともなく、ケーブルカバー２００もキャスター１２１の移動とともに矢印Ｂの方向に移動する可能性が高い。これにより、電源ケーブル１３０がキャスター１２１に絡まってしまったり、踏み付けられて断線したり、といった事態を防止することができる。
【００３２】
なお、キャスター１２１の車輪の直径の２０％以上であればケーブルカバー２００が装着された電源ケーブル１３０がキャスター１２１に絡まることがないという観点から、ケーブルカバー２００の直径は車輪の直径の２０％以上であればどのような値であってもよい。しかしながら、ケーブルカバー２００の直径が大きすぎると、ケーブルカバー２００が装着された電源ケーブル１３０の取り扱いが難しくなり、またケーブルカバー２００が装着された電源ケーブル１３０が大きなスペースを占有してしまうことになるため、ケーブルカバー２００の直径は大きすぎない方がよい。具体的には、ケーブルカバー２００の直径は、例えばキャスター１２１の車輪の直径の２０％から１００％の値をとるようにすればよい。
【００３３】
以上説明したように、本実施の形態のケーブルカバー２００は、柔軟性を有する管状のカバー部材であって、管の内部にケーブルが通されたときに、カバー部材の一端部２３０にケーブルに固定するための構造を有するカバー部材２１０と、カバー部材２１０の外周面に設けられ、カバー部材２１０と比較して硬い素材で形成されたらせん状あるいはリング状の突起部２２０と、を有する。
【００３４】
このような構成により、移動用の車輪（キャスター）を有する医療機器がケーブルの周囲に存在しても、医療機器が移動するときにケーブルが車輪に絡まってしまったり、車輪に踏み付けられてしまったりする事態を防止することができる。これにより、ケーブルを保護することができる。
【００３５】
また、カバー部材２１０の一端部２３０は、熱収縮材料からなる。これにより、ケーブルカバー２００は、容易にケーブルに装着することができる。
【００３６】
また、ケーブルカバー２００の直径は、医療機器が有する移動用の車輪の直径の所定割合、例えば経験的に導出された割合である２０％以上である。これにより、ケーブルカバー２００を装着したケーブルが、医療機器の車輪に絡まってしまったり、車輪に踏み付けられてしまったりする事態をより好適に防止することができる。
【００３７】
以上、図面を参照しながら各種の実施形態について説明したが、本開示は上述した記載に限定されない。特許請求の範囲に記載された範疇内において、各種の変更例または修正例についても本開示の技術的範囲に属することは明白である。また、開示の趣旨を逸脱しない範囲において、上記実施形態における各構成要素を任意に組み合わせてもよい。
【００３８】
上述した実施の形態において、ケーブルカバー２００を超音波診断装置１００の電源ケーブル１３０に装着する例について説明したが、本開示はこれに限定されない。本開示に係るケーブルカバーは、キャスター等の移動用部材を有する各種機器が設置された環境において、各種ケーブルに装着されて使用されればよい。すなわち、本開示に係るケーブルカバーは、電源ケーブル以外の各種ケーブルに装着されてもよい。また、本開示に係るケーブルカバーが装着されるケーブルの接続される機器が移動用部材を有しておらずとも、ケーブルが移動用部材を有する他の機器の配置された環境に配線される状態において、本開示に係るケーブルカバーを適用することできる。
【００３９】
また、上述した実施の形態において、図５等に例示したように、電源ケーブル１３０がキャスター１２１と絡まないように、という観点から、ケーブルカバー２００は電源ケーブル１３０の差し込みプラグ１３１の付近に装着されていたが、本開示はこれに限定されない。各種ケーブルにおいて、ケーブルカバー２００が装着される位置は本開示では特に限定されず、各種ケーブルにおいて、キャスターの通り道となりうる部位にケーブルカバー２００を適宜装着するようにしてもよい。
【００４０】
また、上述した実施の形態において、ケーブルカバー２００の一端部２３０は、熱収縮チューブのように熱を加えることにより収縮する素材で形成されていると説明したが、本開示はこれに限定されない。例えばケーブルカバーの少なくとも一端部に１つあるいは２つの穴を開けてその穴に紐状の部材を通し、ケーブルに装着される際には、紐状の部材をケーブルに巻き付けることにより、ケーブルカバーがケーブルに固定されるように構成してもよい。このような構成では、熱により収縮する素材を使用しなくてもよいため、コストを抑えて製造することができる。なお、ケーブルにケーブルカバーを固定する際、一端部に限られず、例えば両端部を固定してもよい。
【産業上の利用可能性】
【００４１】
本開示は、医療機器に接続されるケーブルに装着されるケーブルカバーに好適である。
【符号の説明】
【００４２】
１００  超音波診断装置
１１０  超音波診断装置本体
１２０  カート
１２１  キャスター
１３０  電源ケーブル
１３１  差し込みプラグ
１４０  電源部
２００  ケーブルカバー
２１０  カバー部材
２２０  突起部
２３０  一端部
２４０  内壁面
３００  床面
【図１】
2017225685.tif 000003
【図２】
2017225685.tif 000004
【図３】
2017225685.tif 000005
【図４】
2017225685.tif 000006
【図５】
2017225685.tif 000007
【図６】
2017225685.tif 000008
【図７】
2017225685.tif 000009
【図８】
2017225685.tif 000010